(57)【要約】【課題】ＡＢＯ式血液型分類による体質の違い、変化を考慮した育毛剤、シャンプー、リンスを提供することで、育毛促進、抜け毛、薄毛の抑制に対し、一般の同種の製品類に比べ、より良い効果を発揮すると共に、購入者の情報収集からマーケティングに役立てるものとする。【解決手段】ＡＢＯ式血液型分類よる体質の違い、変化を考慮し、最も適した成分、配合を考慮し、製造した製品を消費者に提供する。【資料】資料１、資料２、資料３、資料４【特許請求の範囲】
【請求項１】
ＡＢＯ式血液型分類による体質の違い、変化に合わせ、成分、配合を考慮、区分けした育毛剤、シャンプー、リンスの提供であると共に、購入者の情報収集にも繋がることを特徴とする。
【発明の詳細な説明】
【技術分野】
【０００１】  本発明は、ＡＢＯ式血液型分類による体質の違いを明確にし、その体質に合わせた育毛剤、シャンプー、リンスが頭皮環境を整え、毛髪の脱毛抑制、育毛促進により良い効果を現す理論に関する。
【発明の背景】
【０００２】  一般に育毛の方法は多数存在するが、育毛製品について研究が進んでいる企業の資料を参考とする。
【０００３】  花王株式会社のウェブサイトには、育毛の方法には大きく分けて２つあり、それぞれ以下のメカニズムによるとある（資料１）。
【０００４】  まず毛根にある毛母細胞の分裂を活性化する。
【０００５】  次に毛根にある毛母細胞の分裂のエネルギー源となる血行を促進させるとある。
【０００６】  以上のことから、育毛には毛根周辺の血行促進が不可欠であり、年齢を重ねることによる、血管の衰弱が血行不良に繋がり、血液中の栄養分を糧とする毛母細胞の衰弱に繋がるものであることが分かる。
【０００７】  毛母細胞は、細胞分裂を繰り返すことで、髪を作ってゆくが、血行不良を原因に衰弱することで薄毛の原因となるものである。
【０００８】  血管は年齢とともに傷つき、弱り、しなやかさも低下し、血行不良に繋がるのは周知の事実である。
【０００９】  次に血液型別による頭皮環境、毛髪の違いについて述べる。
【００１０】  まず血液型による体質全体の違いについて述べる。
【００１１】  ＡＢＯ式血液型分類によるＡ型、Ｏ型、Ｂ型、ＡＢ型と４種類の体質の違いを明確にする。
【００１２】  赤血球の表面には２５０種以上の糖鎖という表面抗原があるが、赤血球の表面にＨ抗原及びＡ抗原があるとＡ型、Ｈ抗原及びＢ抗原があるとＢ型、Ｈ抗原及びＡ抗原、Ｂ抗原があるとＡＢ型、Ｈ抗原だけがある場合はＯ型となり、この抗原を総称して血液型物質と呼ぶ。
【００１３】  この血液型物は血液中に限らず、胃粘膜や腸粘膜にもっとも多く存在することがわかっていて体質に大きな影響を与えている。
【００１４】  以下にＡＢＯ式血液型の違いをさらに細かく述べる。
【００１５】  Ａ型血液には、赤血球の表面にＡ抗原があり、血清中にはＢ型血液を固めてしまう抗Ｂ凝集素といわれる抗体が含まれている。
【００１６】  Ｂ型血液には、赤血球の表面にＢ抗原があり、血清中にはＡ型血液を固めてしまう抗Ａ凝集素といわれる抗体が含まれている。
【００１７】  ＡＢ型血液には、赤血球の表面にＡ抗原、Ｂ抗原があり、血清中には抗体は含まれていない。
【００１８】  Ｏ型血液には、赤血球の表面にＡ抗原、Ｂ抗原がなく、血清中にはＡ型血液、Ｂ型血液を固めてしまう抗Ａ凝集素、抗Ｂ凝集素といわれる抗体が含まれている。
【００１９】  ＡＢＯ式血液型が誤って輸血されると、その赤血球は破壊され発熱などの軽い症状から、急性腎不全のような重篤な副作用を起こし、生命が失われてしまうことさえある。
【００２０】  以上のことからも、ＡＢＯ式血液型の違いは、人体に大きな影響を与えていることが明確である。
【００２１】  血行促進が頭皮環境、育毛に不可欠なことは先に述べた通りであるが、血液型別で血行にも違いがあり、頭皮環境を整える重要な要素となることが分かっている。
【発明の概要】
【発明が解決しようとする課題】
【００２２】  本発明が解決しようとする課題は、ＡＢＯ式血液型分類による体質の違いを明確にし、その体質、頭皮環境に最も合う育毛剤、シャンプー、リンスの提供により、頭皮環境を整え、毛髪の脱毛抑制、育毛促進により良い効果を現し、またその理論が販売促進の助力になることの証明である。【００２３】  まずＡＢＯ式血液型分類による体質の違いから来る頭皮環境、毛髪の違いを公正な資料より明確にしていく。【００２４】    血行促進が頭皮環境、育毛に不可欠な要素であることは先に証明した通りであるが、血液型の違いが血行に関して大きく影響するというデータがある。【００２５】  米国心臓協会の機関誌に掲載された資料（資料２）と、それを要約した日本語の資料である（資料３）。【００２６】  米国心臓協会の資料にはＡＢＯ  Ｂｌｏｏｄ  Ｇｒｏｕｐ  ａｎｄ  Ｒｉｓｋ  ｏｆ  Ｃｏｒｏｎａｒｙ  Ｈｅａｒｔ  Ｄｉｓｅａｓｅ  ｉｎ  Ｔｗｏ  Ｐｒｏｓｐｅｃｔｉｖｅ  Ｃｏｈｏｒｔ  Ｓｔｕｄｉｅというタイトルが付けられているが、和訳すると、「ＡＢＯ式血液型と冠状動脈性心臓病のリスク」となる。【００２７】  要約した日本語の資料には、ＡＢＯ式血液型と冠状動脈性心臓病との間には因果関係があるとしている。【００２８】  延べ９万人近くの医療従事者を２０年以上追跡した二つの大規模疫学研究を総合的に検討した結果、血液型がＯ型の人は、心筋梗塞や狭心症などの冠動脈疾患に最もかかりにくいことが判明したとある。【００２９】  一方、Ａ型、Ｂ型、ＡＢ型のうち、最も冠動脈疾患リスクが高いのはＡＢ型で、Ｏ型より２３％もリスクが高いとある。【００３０】  次いでＢ型が１１％増、Ａ型は５％増とある。【００３１】  加えてゲノム解析の研究からは血液型をＯ型に決定する酵素が、同時に心筋梗塞を予防する働きに関連することがわかっているとも記述されている。【００３２】  東京歯科大学市川総合病院ウェブサイトの資料に、冠状動脈というのは心臓の周囲を取り巻いている動脈のことであり、心臓の筋肉に酸素や栄養を運ぶ重要な役割を果たしているという記述がある（資料４）。【００３３】  冠動脈疾患には狭心症と心筋梗塞があり、狭心症は冠動脈の血流が低下することによって一時的に心筋の一部が酸欠になる病気である。【００３４】  心筋梗塞は冠動脈の血流が完全に途絶えて、心筋の一部が壊死してしまう病気で狭心症を治療しないで放置するといずれ心筋梗塞を発症する危険がある。【００３５】  以上の公正な臨床結果の資料から、ＡＢＯ式血液型と冠動脈疾患の因果関係は臨床結果として証明出来たものとし、冠動脈疾患は血流が原因として深く関わっていることも通常医療の常識の範囲として理解出来るものとする。【００３６】  ここからＡＢＯ式血液型の違いは、冠動脈疾患の原因である血流の違いに現れると言える。【００３７】  東洋医学では、髪のことを「血余」といい、髪は血液の栄養分の余りであり、血液の一部と考えられている。【００３８】  毛髪を生成する毛母細胞には血液の栄養分が不可欠であり、血液の滞りが抜け毛、薄毛の原因となるものである。【００３９】  ＡＢＯ式血液型の違いは、血流に大きく関与し、血液を栄養分とする毛髪の育成に深く関わっていると言える。【００４０】  以上のことから、ＡＢＯ式血液型の違いが頭皮環境、抜け毛、薄毛の原因として深く関与していることが分かり、育毛剤、シャンプー、リンスもその違いに合わせ、最適な成分、配合が必要となる。【００４１】  育毛剤、シャンプー、リンスは一般にそれぞれ用途が違うものであるが、シャンプーで頭皮や髪の汚れを落し、リンスで頭皮や髪を保護し、育毛剤で実質的な育毛、発毛を促すといった、３つの役割りを１セットと考え、それぞれの用途で特化した成分を考慮し、３つの製品をセットで使用することで、より効果を向上させるものとする。
【発明の効果】
【００４２】  製品の区分けは、通常の血液型の区分けと同様Ａ型用、Ｏ型用、Ｂ型用、ＡＢ型用とする。【００４３】  血液型による体質の変化を考慮した細かな区分けは、購入者にとって暗示的な意味でも、より効果を高める可能性があり、購入する商品の情報がそのまま個人の情報にも繋がることから、マーケティングに対しての情報収集に役立つものとする。【００４４】  以上、ＡＢＯ式血液型分類から来る体質の違いに対し最適な成分を考慮した育毛剤、シャンプー、リンスの使用により、一般の同種の製品と比較し、より良い効果を発揮出来るものとする。